(57)【要約】【課題】調理器具や食材の温度調整を行うことができ、かつ、キッチン周りのスペースを有効活用することのできるキッチンカウンターを提供する。【解決手段】キッチンカウンターは、加熱機器１１が設置されたカウンター１と、カウンター１の後方に一段高く設けられた後部カウンター２を具備する。後部カウンター２は、調理器具や食材を置くことができる天板２１と、ペルチェ式の温度調整装置３を備える。温度調整装置３は、天板２１が有する天面２５の少なくとも一部を温度調整する。【選択図】図１
2017113324.tif 000002
【特許請求の範囲】
【請求項１】
加熱機器が設置されたカウンターと、
前記カウンターの後方に一段高く設けられた後部カウンターを具備し、
前記後部カウンターは、
天板と、
前記天板が有する天面の少なくとも一部を温度調整するように構成されたペルチェ式の温度調整装置を備える
ことを特徴とするキッチンカウンター。
【請求項２】
前記温度調整装置は、
前記天面の少なくとも一部を加熱するように構成されている
ことを特徴とする請求項１に記載のキッチンカウンター。
【請求項３】
前記温度調整装置は、
前記天面のうち前記加熱機器の後方の部分を加熱するように構成されている
ことを特徴とする請求項２に記載のキッチンカウンター。
【請求項４】
前記温度調整装置は、
前記天面の少なくとも一部を冷却するように構成されている
ことを特徴とする請求項１に記載のキッチンカウンター。
【請求項５】
前記カウンターは、調理用の作業面を有し、
前記温度調整装置は、
前記天面のうち前記作業面の後方の部分を冷却するように構成されている
ことを特徴とする請求項４に記載のキッチンカウンター。
【発明の詳細な説明】
【技術分野】
【０００１】
本発明は、キッチンカウンターに関し、詳しくは、加熱機器が設置されたカウンターを備えるキッチンカウンターに関する。
【背景技術】
【０００２】
特許文献１には、鍋や食材の温度調整を行うことができるキッチンカウンターが記載されている。
【０００３】
このキッチンカウンターでは、作業を行うカウンター本体の下面全体に沿って伝熱管が配管されており、伝熱管に湯水を供給することで、カウンター本体を加熱または冷却する。これにより、カウンター本体の作業面に配置された鍋や食材が、温度調整（保温や保冷）される。
【先行技術文献】
【特許文献】
【０００４】
【特許文献１】特開２００９−０６６２００号公報
【発明の概要】
【発明が解決しようとする課題】
【０００５】
上記したキッチンカウンターにおいて、鍋等の調理器具や食材の温度調整を行うには、調理を行う作業面上に調理器具や食材を置く必要があり、その分だけ作業スペースが制限される。
【０００６】
また、上記したキッチンカウンターは、カウンター本体の下面全体に亘って伝熱管が配管される構造であるから、その分だけカウンター本体の下方のスペースが制限される。
【０００７】
本発明は、調理器具や食材の温度調整を行うことができ、かつ、スペースを有効活用することのできるキッチンカウンターを提供することを、目的とする。
【課題を解決するための手段】
【０００８】
本発明の一形態に係るキッチンカウンターは、加熱機器が設置されたカウンターと、前記カウンターの後方に一段高く設けられた後部カウンターを具備する。
【０００９】
前記後部カウンターは、天板と、前記天板が有する天面の少なくとも一部を温度調整するように構成されたペルチェ式の温度調整装置を備える。
【発明の効果】
【００１０】
本発明のキッチンカウンターは、調理器具や食材の温度調整を行うことができ、かつ、スペースを有効活用することができるという効果を奏する。
【図面の簡単な説明】
【００１１】
【図１】図１は、一実施形態のキッチンカウンターの全体を示す斜視図である。
【図２】図２は、同上のキッチンカウンターの主要部を示す平面図である。
【図３】図３Ａは、図２のＡ−Ａ線断面図であり、図３Ｂは、図２のＢ−Ｂ線断面図である。
【発明を実施するための形態】
【００１２】
添付図面に基づいて、一実施形態のキッチンカウンターについて説明する。
【００１３】
図１や図２に示すように、本実施形態のキッチンカウンターは、全体として平坦な天面１５を有するカウンター１と、カウンター１の後方に位置する後部カウンター２と、カウンター１の下方に位置するキャビネット４とを備える。
【００１４】
本明細書では、カウンター１に対して、これを利用する利者が位置する方向を前方とし、これに基づいて各方向を定める。前後、左右、上下方向は図示のとおりである。後部カウンター２の前方に位置するカウンター１の天面１５に、加熱機器１１とシンク１２が左右方向に並んで位置する。
【００１５】
本実施形態のキッチンカウンターでは、加熱機器１１として電磁調理器が設置されているが、加熱機器１１は、鍋等の調理器具や食材を加熱できる機能を有していればよく、ガスコンロ等の他の機器が設置されることも可能である。
【００１６】
天面１５のシンク１２の後方位置には、シンク１２内にむけて湯水を吐出することのできる吐水装置１６が配置されている。
【００１７】
加熱機器１１とシンク１２は、左右方向に所定距離をあけて位置する。左右方向を長手方向とする平面視矩形状の天面１５のうち、加熱機器１１とシンク１２の間の平坦な領域が、使用者が調理作業等を行うことのできる作業面１３である。
【００１８】
キャビネット４は、調理器具や食材を収納することのできる収納構造を有する。キャビネット４の前面上部には、パネル状の操作部５が位置する。操作部５は、加熱機器１１等の操作を行うためのスイッチやボタンが配置される部分である。
【００１９】
後部カウンター２は、カウンター１よりも一段高く位置する。後部カウンター２はその最上部に、左右方向を長手方向とする平面視矩形状の天板２１を有する。天板２１の上面が、後部カウンター２の平坦な天面２５である。
【００２０】
後部カウンター２の天面２５は、カウンター１の天面１５よりも、たとえば３０ｃｍ程度高く位置する。天面２５の前後方向の幅は、各種の調理器具や食材が載置可能となるように、少なくとも９ｃｍに設定される。
【００２１】
このように各種の調理器具や食材が載置可能な天面２５は、後部カウンター２の左右方向の全長に亘って設置されているが、後部カウンター２の左右方向の一部領域にだけ設置されることも可能である。
【００２２】
天板２１の下方には、天板２１の温度（天面２５の温度）を調整することのできるペルチェ式（熱電式）の温度調整装置３が設置されている。
【００２３】
温度調整装置３は、共にパネル状の外形を有する第一ペルチェユニット３１および第二ペルチェユニット３２と、これらを制御する制御部３３を備える。第一ペルチェユニット３１と第二ペルチェユニット３２は、左右方向に所定距離をあけて位置する。
【００２４】
第一ペルチェユニット３１は、天面２５のうち加熱機器１１の後方に位置する第一部分２５１を温度調整するように、加熱機器１１の後方に設置されている。
【００２５】
第二ペルチェユニット３２は、天面２５のうち作業面１３の後方に位置する第二部分２５２を温度調整するように、作業面１３の後方に設置されている。
【００２６】
天面２５の第一部分２５１と第二部分２５２は、左右方向に隣接して位置する。天板２１のうち平面視において第一部分２５１と第二部分２５２を含む領域は、ともに高い熱伝導性を有することが好ましい。
【００２７】
天板２１のうち平面視において天面２５の中間部分２５３（図２参照）を含む領域は、熱伝導性が低い（断熱性を有する）ことが好ましい。中間部分２５３は、天面２５のうち第一部分２５１と第二部分２５２の間に位置する部分である。
【００２８】
図３Ａに示すように、第一ペルチェユニット３１は、上パネル３１２と下パネル３１４の間に多数のペルチェ素子３１６が挟み込まれた構造である。多数のペルチェ素子３１６間の通電によって上パネル３１２が加熱され、天板２１の上パネル３１２に当接する部分を介して、天面２５の第一部分２５１が加熱される。
【００２９】
図３Ｂに示すように、第二ペルチェユニット３２は、上パネル３２２と下パネル３２４の間に多数のペルチェ素子３２６が挟み込まれた構造である。多数のペルチェ素子３２６間の通電によって上パネル３２２が冷却され、天板２１の上パネル３２２に当接する部分を介して、天面２５の第二部分２５２が冷却される。
【００３０】
後部カウンター２には、外部電源に電気接続された制御部３３が収納されている。制御部３３は、第一ペルチェユニット３１と第二ペルチェユニット３２への通電を制御するように、第一ペルチェユニット３１と第二ペルチェユニット３２に電気接続されている。
【００３１】
さらに制御部３３は、操作部５に電気接続されている。操作部５は、天面２５の温度に関する操作入力を行うことのできる温度操作部５１を含む。温度操作部５１には、第一ペルチェユニット３１と第二ペルチェユニット３２を操作するためのスイッチやボタンが配置される。
【００３２】
本実施形態のキッチンカウンターによれば、カウンター１を利用して調理を行う使用者は、後部カウンター２の天面２５の第一部分２５１を保温に用いることや、天面２５の第二部分２５２を保冷に用いることができる。
【００３３】
使用者は、加熱機器１１を用いて加熱（調理）した後の調理器具や食材を、加熱機器１１の真後ろの第一部分２５１に速やかに移して保温することができる。この保温作業は、利便性と安全性が高い。
【００３４】
また、使用者は、作業面１３で調理作業を行う前後の調理器具や食材を、作業面１３の真後ろの第二部分２５２で保冷することができる。この保冷作業は、利便性と安全性が高い。つまり、たとえば作業面１３上で調理する前の食材を第二部分２５２に載せておけば、調理直前まで食材を保冷することができ、かつ、前方の作業面１３に速やかに移すことができる。作業面１３で調理した食材を、後方の作業面１３に速やかに移して保冷することも可能である。
【００３５】
しかも、保温や保冷を行うときにカウンター１上のスペースが占領されないので、使用者はキッチン周りのスペースを有効活用することができる。
【００３６】
使用者は、温度操作部５１を操作して、第一ペルチェユニット３１と第二ペルチェユニット３２の通電のオンオフを個別に切り替えることができる。つまり、天面２５を保温や保冷に使用するときだけ通電をオンに設定し、それ以外は通電をオフに設定することができる。
【００３７】
さらに、本実施形態のキッチンカウンターでは、温度操作部５１の操作により、第一ペルチェユニット３１と第二ペルチェユニット３２への通電量の大小（つまり第一部分２５１と第二部分２５２の温度）が個別に切り替え可能であることが好ましい。
【００３８】
後部カウンター２の天面２５のうち保温に用いられる部分（第一部分２５１）の温度は、たとえば３０〜８０℃の範囲内（さらに好ましくは４０〜６０℃の範囲内）で設定される。後部カウンター２の天面２５のうち保冷に用いられる部分（第二部分２５２）の温度は、たとえば０〜１０℃の範囲内で設定される。
【００３９】
また、温度操作部５１の操作により、第一ペルチェユニット３１と第二ペルチェユニット３２の通電方向が個別に切り替え可能であることも好ましい。この場合、天面２５の第一部分２５１と第二部分２５２の両方を冷却（または加熱）し、第一部分２５１から第二部分２５２に亘る広範な領域を保冷（または保温）用の載置面として利用することが可能である。また、第一部分２５１を冷却して保冷用の載置面として利用し、かつ、第二部分２５２を加熱して保温用の載置面として利用することも可能である。
【００４０】
本実施形態のキッチンカウンターでは、後部カウンター２に二つのペルチェユニット（第一ペルチェユニット３１と第二ペルチェユニット３２）を備えるが、一つのペルチェユニットだけを備える構成や、三以上のペルチェユニットを備える構成も採用可能である。
【００４１】
以上、添付図面に基づいて説明したように、本実施形態のキッチンカウンターは、加熱機器１１が設置されたカウンター１と、カウンター１の後方に一段高く設けられた後部カウンター２を具備する。後部カウンター２は、天板２１と、ペルチェ式の温度調整装置３を備える。温度調整装置３は、天板２１が有する天面２５の少なくとも一部を温度調整するように構成されている。
【００４２】
したがって、本実施形態のキッチンカウンターによれば、カウンター１を利用して調理を行う使用者は、後部カウンター２の天面２５上に調理器具や食材を置き、天面２５を介して調理器具や食材の温度調整を行うことができる。このとき、カウンター１上のスペースが占領されないので、使用者はキッチン周りのスペースを有効活用することができる。しかも、天面２５の温度調整はペルチェ式の温度調整装置３で行うので、温度調整のための装置は省スペースで構成され、多様な温度調整も可能である。
【００４３】
本実施形態のキッチンカウンターにおいて、温度調整装置３は、天面２５の少なくとも一部を加熱するように構成されている。
【００４４】
したがって、本実施形態のキッチンカウンターによれば、後部カウンター２の天面２５上に調理器具や食材を置き、天面２５を介して調理器具や食材を保温することができる。
【００４５】
より具体的には、温度調整装置３は、天面２５のうち加熱機器１１の後方の部分を加熱するように構成されている。
【００４６】
したがって、本実施形態のキッチンカウンターによれば、使用者は、加熱機器１１を用いて加熱した調理器具や食材を、天面２５の加熱された部分に速やかに移して保温することができ、高い利便性と安全性で、調理器具や食材の保温が実現される。
【００４７】
また、本実施形態のキッチンカウンターにおいて、温度調整装置３は、天面２５の少なくとも一部を冷却するように構成されている。
【００４８】
したがって、本実施形態のキッチンカウンターによれば、後部カウンター２の天面２５上に調理器具や食材を置き、天面２５を介して調理器具や食材を保冷することができる。
【００４９】
より具体的には、カウンター１は、調理用の作業面１３を有する。温度調整装置３は、天面２５のうち作業面１３の後方の部分を冷却するように構成されている。
【００５０】
したがって、本実施形態のキッチンカウンターによれば、使用者は、調理に用いる前の調理器具や食材を天面２５の冷却された部分で保冷することや、調理後の調理器具や食材を天面２５の冷却された部分で保冷することができ、調理器具や食材の移動も容易である。そのため、高い利便性と安全性で、調理器具や食材の保冷が実現される。
【００５１】
以上、一実施形態のキッチンカウンターについて説明したが、キッチンカウンターは前記した実施形態に限定されず、適宜の設計変更を行うことが可能である。
【符号の説明】
【００５２】
１    カウンター
１１  加熱機器
１３  作業面
２    後部カウンター
２１  天板
２５  天面
３    温度調整装置
【図１】
2017113324.tif 000003
【図２】
2017113324.tif 000004
【図３】
2017113324.tif 000005